(57)【要約】【課題】界壁部分において上ランナーをモジュール芯からずらしても簡単且つ確実に耐火構造にできて、設計上の自由度が増す。【解決手段】集合住宅における住戸１と住戸１との間の界壁２の耐火構造である。外周を梁耐火材３で覆った金属製の梁４の上に耐火性を有する上階スラブ５を形成する。上ランナー６をジョイント金物７を介して梁４に取付ける。上ランナー６の両側にそれぞれ耐火壁板８の上部を取付ける。上ランナー６のセンターが梁４のセンターに対して一側方にずれて一方の耐火壁板８の上端が梁４を覆う梁耐火材３の下端部に当接すると共に他方の耐火壁板８の上端が梁耐火材３の下端部よりも外側方にずれて位置させる。外側方にずれて位置する方の耐火壁板８の上端部と上階スラブ５との間に補助耐火壁板９を取付ける。【選択図】図１
2008169558.tif 000002
【特許請求の範囲】
【請求項１】
集合住宅における住戸と住戸との間の界壁の耐火構造であって、外周を梁耐火材で覆った金属製の梁の上に耐火性を有する上階スラブを形成し、上ランナーをジョイント金物を介して梁に取付け、上ランナーの両側にそれぞれ耐火壁板の上部を取付け、上ランナーのセンターが梁のセンターに対して一側方にずれて一方の耐火壁板の上端が梁を覆う梁耐火材の下端部に当接すると共に他方の耐火壁板の上端が梁耐火材の下端部よりも外側方にずれて位置し、この外側方にずれて位置する方の耐火壁板の上端部と上階スラブとの間に補助耐火壁板を取付けて成ることを特徴とする界壁の耐火構造。
【請求項２】
上階スラブの下面に金属製の断面逆Ｕ字状の嵌め込み用レールを取付け、外側方にずれて位置する耐火壁板の上端部に下端部を固着した補助耐火壁板の上端部を、嵌め込み用レール内に嵌め込むと共に補助耐火壁板の上端面と嵌め込み用レール内の上底面との間に弾性又は柔軟性を有する耐火性を有する緩衝部材を介在させて成ることを特徴とする請求項１記載の界壁の耐火構造。
【発明の詳細な説明】
【技術分野】
【０００１】
本発明は、集合住宅における住戸と住戸との間の界壁の耐火構造に関するものである。
【背景技術】
【０００２】
従来から集合住宅における住戸と住戸との間の界壁の耐火構造として、外周を梁耐火材で覆った金属製の梁の上に、耐火性を有する上階スラブを形成し、梁の下面側に上ランナーを取付け、上ランナーに耐火板の上端部を挿入するものが特許文献１により知られている。
【０００３】
上記従来例にあっては、モジュール芯に位置する梁のセンターに、上ランナーのセンターが一致するように施工される（つまり界壁がモジュール芯に位置するように施工される）ものである。ところが、集合住宅における住戸と住戸との間の界壁部分においてモジュール芯に位置する梁のセンターに対して上ランナーのセンターを横にずらして施工したりする（つまり上ランナーをモジュール芯からずらして施工する）と、耐火板が梁耐火材よりも外側方にずれ、この場合は、耐火板の上端と梁耐火材の側部下端との間に横方向に隙間が生じてしまって耐火構造とならない。
【０００４】
このため、従来例にあっては、界壁部分においては梁のセンターと上ランナーのセンターが共にモジュール芯に位置するような施工しかできず、設計上の自由度が制約されていた。
【特許文献１】特開平６−１４６４４１号公報
【発明の開示】
【発明が解決しようとする課題】
【０００５】
本発明は上記の従来の問題点に鑑みて発明したものであって、界壁部分において上ランナーをモジュール芯からずらしても簡単且つ確実に耐火構造にできて、設計上の自由度が増す界壁の耐火構造を提供することを課題とするものである。
【課題を解決するための手段】
【０００６】
上記課題を解決するために本発明に係る界壁の耐火構造は、集合住宅における住戸１と住戸１との間の界壁２の耐火構造であって、外周を梁耐火材３で覆った金属製の梁４の上に耐火性を有する上階スラブ５を形成し、上ランナー６をジョイント金物７を介して梁４に取付け、上ランナー６の両側にそれぞれ耐火壁板８の上部を取付け、上ランナー６のセンターが梁４のセンターに対して一側方にずれて一方の耐火壁板８の上端が梁４を覆う梁耐火材３の下端部に当接すると共に他方の耐火壁板８の上端が梁耐火材３の下端部よりも外側方にずれて位置し、この外側方にずれて位置する方の耐火壁板８の上端部と上階スラブ５との間に補助耐火壁板９を取付けて成ることを特徴とするものである。
【０００７】
このような構成とすることで、上ランナー６のセンターが梁４のセンターに対して一側方にずれて施工されても、界壁２の一方の住戸１側においては一方の耐火壁板８と梁耐火材３とで切れ目の無い連続した耐火構造となり、且つ、界壁２の他方の住戸１側においては他方の耐火壁板８と補助耐火壁板９とで切れ目の無い連続した耐火構造となり、界壁２の耐火構造として問題がない。
【０００８】
また、上階スラブ５の下面に金属製の断面逆Ｕ字状の嵌め込み用レール１０を取付け、外側方にずれて位置する耐火壁板８の上端部に下端部を固着した補助耐火壁板９の上端部を、嵌め込み用レール１０内に嵌め込むと共に補助耐火壁板９の上端面と嵌め込み用レール１０内の上底面との間に弾性又は柔軟性を有する耐火性を有する緩衝部材１１を介在させることが好ましい。
【０００９】
このような構成とすることで、上階スラブ５と耐火壁板８との間に補助耐火壁板９を設けたといえども、上階スラブ５からの振動が耐火性を有する緩衝部材１１により緩衝され、音鳴りの防止及び振動が補助耐火壁板９を介して耐火壁板８に伝わるのが抑制される。
【発明の効果】
【００１０】
本発明は、上記のように構成したので、界壁部分において上ランナーを梁のセンター（つまりモジュール芯）から側方にずらして配置しても、簡単な構成で界壁の両住戸側においてそれぞれ連続した切れ目の無い耐火構造にでき、このように上ランナーを梁のセンターからずらしても簡単且つ確実に耐火構造にできるので、設計上の自由度が増すという利点がある。
【発明を実施するための最良の形態】
【００１１】
以下、本発明を添付図面に示す実施形態に基いて説明する。
【００１２】
集合住宅における住戸１と住戸１との間の界壁２は、図１に示すように、下階スラブ１２と上階スラブ５との間に形成されるもので、上階スラブ５を支持する梁４と下階スラブ１２と梁４との間に建て込まれる壁部１３とで界壁２が構成される。下階スラブ１２、上階スラブ５は共にＡＬＣのようなコンクリート系のもので、耐火性を有している。
【００１３】
界壁２部分に位置する梁４は鉄骨のような金属製であって、梁４のセンターが集合住宅のモジュール芯に位置するように施工される。この梁４上には上階スラブ５が載設支持される。梁４の外面は梁耐火材３により覆われていて梁４部分を耐火構造としてある。
【００１４】
上記梁４の下面部となる下フランジ部４ａにはジョイント金物７が固定される。ジョイント金物７は図３（ａ）、（ｂ）に示すように、横方向に長くなった連結用横片１４の短辺方向の両側で且つ長手方向の中間部分にそれぞれＬ状をした脚片１５を下方に向けて突設して構成してあり、横方向に長くなった連結用横片１４には長手方向に複数の固定孔１６が設けてある。梁４の下フランジ部４ａには孔１７が設けてあり、この下フランジ部４ａに設けた孔１７と、ジョイント金物７の連結用横片１４に設けた複数の固定孔１６のうち任意の固定孔１６を連通させてボルト１８により連結する。
【００１５】
また、必要に応じて、図３（ｂ）に示すような長手方向に多数の孔１９を設けたアジャスター金物２０を介して上記下フランジ部４ａと連結用横片１４とを連結してもよい。つまり、下フランジ部４ａの孔１７にアジャスター金物２０の任意の孔１９をボルト１８により連結し、更に、アジャスター金物２０の任意の孔１９と連結用横片１４に設けた任意の固定孔１６を連通させてボルト１８により連結してもよい。
【００１６】
上記のようにして、ジョイント金物７のセンターを梁４のセンターから任意の長さだけ側方にずれるように連結できる。図４にはジョイント金物７のセンターを梁４のセンターから任意の長さだけ側方にずれるように連結した各例を示している。
【００１７】
ジョイント金物７の脚片１５には断面逆Ｕ字状をした金属製の上ランナー６がねじ具その他の固着手段により固着される。ここで、上ランナー６の上面部にあらかじめジョイント金物７を固定してあってもよく、ジョイント金物７を梁４に取付けた後に上ランナー６を固着してもよい。
【００１８】
このようにしてジョイント金物７を介して上ランナー６が梁４に取付けられるのであるが、上ランナー６のセンターは建物のモジュール芯に位置する梁４のセンターに対して側方にずれて配置される。
【００１９】
上ランナー６の真下の下階スラブ１２上には断面Ｕ字状をした下ランナー２１が固定してある。
【００２０】
上ランナー６と下ランナー２１の両側面にそれぞれ両住戸１の壁となる耐火壁板８が配置され、両側の耐火壁板８の上部及び下部がそれぞれ上ランナー６と下ランナー２１にねじ具のような固着具により固着される。耐火壁板８は例えば石膏ボードが使用される。両側の耐火壁板８間には必要に応じて断熱材（図示を省略している）が内装される。
【００２１】
ここで、図１に示すように、上ランナー６のセンターが梁４のセンターに対して一側方にずれているため、一方の耐火壁板８の上端が梁４を覆う梁耐火材３の下端部に当接すると共に他方の耐火壁板８の上端が梁耐火材３の下端部よりも外側方にずれて位置する。
【００２２】
上端が梁耐火材３の下端部よりも外側方にずれて位置する他方の耐火壁板８と上階スラブ５との間には補助耐火壁板９が配設される。この補助耐火壁板９は石膏ボードなどが使用され、下端部を補助耐火壁板９の外面側に重複して固着具により固着し、上端部は上階スラブ５に対して非固定としてある。
【００２３】
すなわち、添付図面に示す実施形態においては、他方の耐火壁板８の上端部に下受け金具２３の上端部の逆Ｕ字状をした上嵌め込み部２４を嵌め込むことで他方の耐火壁板８の上端部外面に下受け金具２３の下端部のＵ字状をした下嵌め込み部２５を沿わせる。また、下嵌め込み部２５の真上の上階スラブ５の下面に金属製の断面逆Ｕ字状の嵌め込み用レール１０を取付ける。この嵌め込み用レール１０内の上底面には弾性又は柔軟性を有する耐火性を有する緩衝部材１１を設ける。
【００２４】
そして、補助耐火壁板９の上端部を嵌め込み用レール１０内に嵌め込んで緩衝部材１１を圧縮するようにして押し上げ、補助耐火壁板９の下端を下嵌め込み部２５よりも上に位置させ、この状態で補助耐火壁板９の下端部を下嵌め込み部２５の上開口に位置させ、補助耐火壁板９を下方に落とし込むことで補助耐火壁板９の下端部を下嵌め込み部２５に嵌め込む。このとき補助耐火壁板９の上端は嵌め込み用レール１０内に入ったままで、緩衝部材１１は自身の弾性力で復元して補助耐火壁板９の上端面と嵌め込み用レール１０内の上底面に弾性的に圧接して隙間を生じさせないようにする。その後、補助耐火壁板９の下端部を耐火壁板８の上端部に固着具により固着する。
【００２５】
上記のようにして上下ランナー６、２１の両側に耐火壁板８を固定することで構成した壁部１３と梁４とで住戸１と住戸１とを仕切る界壁２が構成されるのであるが、この界壁２は、梁４のセンターがモジュール芯に位置し、壁部１３のセンター（上ランナー６のセンター）が梁４のセンターから側方にずれ（つまりモジュール芯からずれ）ている。このため、図１のように一方の耐火壁板８の上端が梁４を覆う梁耐火材３の下端部に当接しているが、他方の耐火壁板８の上端が梁耐火材３の下端部よりも外側方にずれて位置し、他方の耐火壁板８の上端が梁耐火材３の下端部との間は耐火構造が切れた状態となる。しかしながら、上記のように外側方にずれて位置する方の耐火壁板８の上端部と上階スラブ５との間に補助耐火壁板９を取付けてあるので、界壁２の他方の住戸１側においては他方の耐火壁板８と補助耐火壁板９とで切れ目の無い連続した耐火構造となる。また、界壁２の一方の住戸１側においては、一方の耐火壁板８の上端が梁４を覆う梁耐火材３の下端部に当接しているので、一方の耐火壁板８と梁耐火材３とで切れ目の無い連続した耐火構造となる。したがって、本発明においては、界壁２の両側がそれぞれ下階スラブ１２から上階スラブ５に至る切れ目のない連続した耐火構造となり、界壁２の耐火構造として問題がない。
【００２６】
図中２６は両側の住戸１の各天井であり、天井を施工することで補助耐火壁板９、梁耐火材３等が室内から見えないようになっている。
【００２７】
なお図２にはジョイント金物７とアジャスター金物２０とを用いて上ランナー６のセンターを建物のモジュール芯に位置する梁４のセンターに対して側方にずらした例を示している。アジャスター金物７を用いる以外は前述の図１に示す実施形態と同様の構成となっているので、詳細な説明は省略する。本実施形態のようにアジャスター金物７を用いることで、上ランナー６のセンターを梁４のセンターに対してより側方に離して配置できる。
【図面の簡単な説明】
【００２８】
【図１】本発明の一実施形態の一部省略した断面図である。
【図２】本発明の他の実施形態の一部省略した断面図である。
【図３】（ａ）は同上に用いるジョイント金具の斜視図であり、（ｂ）はジョイント金物とアジャスター金物とを示す分解斜視図である。
【図４】（ａ）乃至（ｄ）は同上のジョイント金物を用いて、あるいは、ジョイント金物とアジャスター金物とを用いてジョイント金物のセンターを梁のセンターから任意の長さだけ側方にずれるように連結した各例を示す正面図である。
【符号の説明】
【００２９】
１  住戸
２  界壁
３  梁耐火材
４  梁
５  上階スラブ
６  上ランナー
７  ジョイント金物
８  耐火壁板
９  補助耐火壁板
１０  嵌め込み用レール
１１  緩衝部材
【図１】
2008169558.tif 000003
【図２】
2008169558.tif 000004
【図３】
2008169558.tif 000005
【図４】
2008169558.tif 000006